(57)【要約】【課題】ＲＳＳＩ信号の立上りおよび立下り時間を短縮しつつ安定した信号を後段の回路に供給できる信号波形整形回路を提供する。【解決手段】信号波形整形回路３０は、ローパスフィルタ３１の抵抗値を切り換えるスイッチ３２と、スイッチ制御回路３３とを備える。スイッチ制御回路３３はベースバンド回路５６からＵＷ検出信号を受け取るとスイッチ３２をオフし、ＣＲＣ検出信号を受け取るとスイッチ３２をオンする。ＲＳＳＩ信号の立ち上がり時においてはローパスフィルタ３１の時定数が小さいため、ＲＳＳＩ信号の立ち上がり時間を短くでき、ＰＨＳスロットのＵＷが到来するとローパスフィルタ３１の時定数が大きくなるため、ＲＳＳＩ信号のリップルを小さく抑えて安定したＲＳＳＩ信号を供給でき、ＣＲＣデータ終了後にはローパスフィルタ３１の時定数が小さくなるため、ＲＳＳＩ信号の立ち下がり時間を短くできる。【選択図】　　　図１
2004096241.tif 000002
【特許請求の範囲】
【請求項１】
バースト信号の受信レベルを示すＲＳＳＩ信号を、抵抗とコンデンサとを有するローパスフィルタで波形整形するＲＳＳＩ信号波形整形回路において、
前記ローパスフィルタの時定数を切り換える時定数切換手段を備えたことを特徴とするＲＳＳＩ信号波形整形回路。
【請求項２】
前記時定数切換手段は、前記ローパスフィルタの抵抗値または容量値を切り換えるスイッチ回路であることを特徴とする請求項１記載のＲＳＳＩ信号波形整形回路。
【請求項３】
前記時定数切換手段を、ＲＳＳＩ信号の供給先である後段の回路からの信号に基づいて制御する制御回路を備えたことを特徴とする請求項１または２記載のＲＳＳＩ信号波形整形回路。
【請求項４】
請求項１、２、３のいずれかに記載のＲＳＳＩ信号波形整形回路を備えたことを特徴とする電話装置。
【発明の詳細な説明】
【０００１】
【発明の属する技術分野】
本発明は、バースト信号を受信する装置たとえばＰＨＳ（Ｐｅｒｓｏｎａｌ　Ｈａｎｄｙ−ｐｈｏｎｅ　Ｓｙｓｔｅｍ）子局においてキャリアセンス回路の一部として使用されるＲＳＳＩ（Ｒｅｃｅｉｖｉｎｇ　Ｓｉｇｎａｌ　Ｓｔｒｅｎｇｔｈ　Ｉｎｄｉｃａｔｏｒ）信号波形整形回路およびこれを備えた電話装置に関する。
【従来の技術】
【０００２】
従来のＲＳＳＩ信号波形整形回路では、ＲＳＳＩ信号のリップル成分をローパスフィルタで平坦化し、ＲＳＳＩ信号の振幅変動を抑えてベースバンド回路などの後段の回路へ供給する際、ＲＳＳＩ信号の立上りおよび立下り特性を改善するために、ダイオードを用いたバイパス回路をローパスフィルタ５０に対して並列に設けている。（特開平１１−３３１００５号公報）
【０００３】
【発明が解決しょうとする課題】
しかしながら、上記公報記載の技術では、バイパス回路のダイオードがオンするまでに若千の時間的な遅れが生じたり、ダイオードの特性のばらづきなどによって立ち上がり時間がばらついたりするといった問題があった。
【０００４】
また、複数のアンテナの中で受信状態が最も良いアンテナの受信信号を選択的に使用するダイバーシチ動作をおこなう際には、図５に示すようにＰＨＳスロット構成におけるＵＷ　　（ユニータワード）が到来するまでにＲＳＳＩ信号の大小を比較判定してアンテナを切り換える必要があるため、ＲＳＳＩ信号が比較判定のタイミングまでに立ち上がっていないとＲＳＳＩ信号の誤判定が生じることになる。
【０００５】
本発明が解決しようとする課題は、ＲＳＳＩ信号の立上り時間および立下り時間を短縮しつつ、ＲＳＳＩ信号のリップルを小さく抑えて安定したＲＳＳＩ信号を後段の回路に供給することができるＲＳＳＩ信号波形整形回路およびこれを備えた電話装置を提供することにある。
【０００６】
【課題を解決する手段】
上記課題を解決するために本発明は、バースト信号の受信レベルを示すＲＳＳＩ信号を、抵抗とコンデンサとを有するローパスフィルタで波形整形するＲＳＳＩ信号波形整形回路において、前記ローパスフィルタの時定数を切り換える時定数切換手段を備えた。
【０００７】
前記時定数切換手段は、前記ローパスフィルタの抵抗値または容量値を切り換えるスイッチ回路であることが望ましい。
【０００８】
前記時定数切換手段を、ＲＳＳＩ信号の供給先である後段の回路からの信号に基づいて制御する制御回路を備えていることが望ましい。
【０００９】
上記のように構成した本発明のＲＳＳＩ信号波形整形回路によれば、前記時定数切換手段によって前記ローパスフィルタの時定数を切り換えることにより、ＲＳＳＩ信号の立上り時間および立下り時間を短縮しつつ、ＲＳＳＩ信号のリップルを小さく抑えて安定したＲＳＳＩ信号を後段の回路に供給することができる。
【００１０】
また、前記時定数切換手段として、前記ローパスフィルタの抵抗値または容量値を切り換えるスイッチ回路を使用することにより、簡単な回路構成とすることができる。
【００１１】
また、前記時定数切換手段を、ＲＳＳＩ信号の供給先である後段の回路からの信号に基づいて制御することにより、後段の回路の動作に適応させて前記ローパスフィルタの時定数を切り換えることができる。
【００１２】
本発明の電話装置は、本発明のＲＳＳＩ信号波形整形回路を備えたことにより、バースト信号の到来を素早くかつ精度良く検出して、常に良好な通信を行うことができる。
【００１３】
【発明の実施の形態】
以下、本発明の実施の形態について説明する。
【００１４】
図１は本発明の実施の形態の一例を示す回路図である。受信回路１０は、ＰＨＳ基地局からの送信波を受信し、受信信号とＲＳＳＩ信号とを出力する。受信信号は、後段の回路であるベースバンド回路２０にそのまま供給される。一方、ＲＳＳＩ信号は、本発明のＲＳＳＩ信号波形整形回路３０で整形されたのちベースバンド回路２０に供給される。
【００１５】
ベースバンド回路２０は、ＤＥＭＯＤ（復調）回路部２１、Ａ／Ｄ変換回路部２２、ＵＷ（ユニークワード）検出回路部２３およびＣＲＣ検出回路部２４を備えている。
【００１６】
ＤＥＭＯＤ（復調）回路部２１は、受信信号を復調するブロックであり、復調した信号すなわちＰＨＳスロットをＵＷ検出回路部２３およびＣＲＣ検出回路部２４に供給する。Ａ／Ｄ変換回路部２２は、ＲＳＳＩ信号をデジタル信号に変換するブロックである。ＵＷ検出回路部２３は、ＰＨＳスロットのＵＷを検出し、そのＵＷが終了する度にＵＷ検出信号を出力する。ＣＲＣ検出回路部２４は、ＰＨＳスロットのＣＲＣデータを検出し、そのＣＲＣデータが終了する度にＣＲＣ検出信号を出力する。
【００１７】
ＲＳＳＩ信号波形整形回路３０は、ローパスフィルタ回路３１と、時定数切換スイッチ３２と、スイッチ制御回路３３とを備えている。
【００１８】
ローパスフィルタ回路３１は、受信回路１０とベースバンド回路２０との間に並列に設けられた２つの抵抗３４、３５と、抵抗３４、３５とベースバンド回路２０との間に一方の端子が接続され他方の端子が接地されたコンデンサ３６とを備えている。時定数切換スイッチ３２は、一方の抵抗３４の導通／遮断を切り換えるべく設けられており、スイッチ制御回路３３からの切換信号によってオン（導通）／オフ（遮断）されるようになっている。
【００１９】
スイッチ制御回路３３は、図２に示すように、ＵＷ検出信号を受け取ると時定数切換スイッチ３２をオフするように動作し、ＣＲＣ検出信号を受け取ると時定数切換スイッチ３２をオンするように動作するようになっている。
【００２０】
上記の構成によれば、ＲＳＳＩ信号の立ち上がり時においては、時定数切換スイッチ３２がオンしているため、ローパスフィルタ回路３１の時定数が小さくなっている。このため、ＲＳＳＩ信号の立ち上がり時間を短くできる。
【００２１】
また、ＰＨＳスロットのＵＷが到来すると、時定数切換スイッチ３２がオフし、ローパスフィルタ回路３１の時定数が大きくなる。このため、ＲＳＳＩ信号のリップルを小さく抑えて安定したＲＳＳＩ信号をベースバンド回路２０に供給することができる。
【００２２】
また、ＰＨＳスロット終了後すなわちＣＲＣデータ終了後には、時定数切換スイッチ３２がオンし、ローパスフィルタ回路３１の時定数が小さくなる。このため、ＲＳＳＩ信号の立ち下がり時間を短くできる。
【００２３】
図３は本発明の別の実施の形態を示す回路図である。この回路はダイバーシチ動作をおこなうものであり、受信回路１０には２つのアンテナ４１、４２がアンテナ切換スイッチ４５を介して接続されている。アンテナ切換スイッチ４５は、ベースバンド回路２０からのアンテナ切換信号に応じて、どちらか一方のアンテナ４１または４２を受信回路１０に接続する切り換え動作をおこなう。
【００２４】
ベースバンド回路２０は、図１の構成に加えて比較判定回路部２５を備えている。比較判定回路部２５は、Ａ／Ｄ変換回路部２２によってデジタル信号に変換されたＲＳＳＩ信号の大小を比較判定し、その結果に応じたアンテナ切換信号をアンテナ切換スイッチ４５に与えることにより、受信状態が良い方のアンテナ４１、４２に切り換えるダイバーシチ動作をおこなう。
【００２５】
このダイバーシチ動作時においてＲＳＳＩ信号の大小を基に比較判定する際、従来の回路においては、図５に示すように、ＲＳＳＩ信号がまだ完全に立ち上がっていない状態において比較判定してしまうことによる誤判定が発生していた。
【００２６】
これに対し、本発明の回路構成によれば、図４に示すように、ＲＳＳＩ信号が立ち上がっている状態で比較判定をおこなうことができるため、誤判定を防止できる。
【００２７】
また、ダイバーシチ動作時においては、通常ＵＷが始まるまでのＰＲ（プリアンブル）受信中に各アンテナからのＲＳＳｌ信号を読み込み、その大小を比較することにより、アンテナ相互間における受信電界強度の大小の判定が行なわれる。そのため図５に示すように、ダイバーシチ判定タイミングより前に時定数切換信号が用意できれば、その信号を使用して時定数スイッチ３２をオフし、ローパスフィルタ回路３１の時定数を大きくすることで、比較判定時におけるＲＳＳｌ信号のリップルを小さく抑えることができるので、より安定した比較判定を行って、安定したダイバーシチ動作をおこなうことができる。
【００２８】
したがって、この実施の形態のＲＳＳＩ信号波形整形回路を備えたＰＨＳ子局によれば、バースト信号の到来を素早くかつ精度良く検出して、常に良好に通信を行うことができる。
【００２９】
なお、上記実施の形態では、時定数切換信号としてＵＷ検出信号およびＣＲＣ検出信号を使用したが、これらの信号に準ずる他の信号を使用してもよい。
【００３０】
また、上記実施の形態では、ローパスフィルタ回路３１の抵抗値を切り換えることによって時定数の切り換えをおこなうようにしたが、容量値を切り換えることによって時定数を切り換えるようにしてもよい。
【００３１】
【発明の効果】
以上説明したように、本発明のＲＳＳＩ信号波形整形回路によれば、時定数切換手段によってローパスフィルタの時定数を切り換えることにより、ＲＳＳＩ信号の立上り時間および立下り時間を短縮しつつ、ＲＳＳＩ信号のリップルを小さく抑えて安定したＲＳＳＩ信号を後段の回路に供給することができる。
【００３２】
本発明の電話装置によれば、上記ＲＳＳＩ信号波形整形回路を備えたことにより、バースト信号の到来を素早くかつ精度良く検出して、常に良好な通信を行うことができる。
【図面の簡単な説明】
【図１】本発明の実施の形態の一例を示す回路図である。
【図２】図１に示す回路の動作タイミング図である。
【図３】本発明の別の実施の形態を示す回路図である。
【図４】図３に示す回路の動作タイミング図である。
【図５】従来の回路の動作タイミング図である。
【符号の説明】
１０：受信回路
２０：ベースバンド回路
２１：ＤＥＭＯＤ回路部
２２：Ａ／Ｄ変換回路部
２３：ＵＷ検出回路部
２４：ＣＲＣ検出回路部
２５：比較判定回路部
３０：ＲＳＳＩ信号整形回路
３１：ローパスフィルタ回路
３２：時定数切換スイッチ
３３：スイッチ制御回路
３４、３５：抵抗
３６：コンデンサ
４１、４２：アンテナ
４５：アンテナ切換スイッチ
【図１】
2004096241.tif 000003
【図２】
2004096241.tif 000004
【図３】
2004096241.tif 000005
【図４】
2004096241.tif 000006
【図５】
2004096241.tif 000007